(57)【要約】【課題】タンクの交換を簡便にする。【解決手段】現像処理装置には、現像処理液を補充するための複数のタンクを収納するタンク収納室１５が配されている。タンク収納室１５には、トレー６２がスライド自在に設けられており、トレー６２の上には、複数のタンク３０〜３３が載置されている。トレー６２を引き出すと、タンク３０〜３３が露呈され、交換が容易になる。トレー６２の下には、車輪出入機構６７が設けられている。車輪出入機構６７は、トレー６２を引き出す操作に連動して車輪６８を出し、トレー６２が重さでお辞儀することを防止し、また、トレー６２を押し込む操作に連動して車輪６８を格納する。【選択図】図３
2007133029.tif 000002
【特許請求の範囲】
【請求項１】
写真フイルムを現像するための処理液が入った現像処理液槽と、前記現像処理液槽に補充するための処理液を入れた容器と、前記容器を交換自在に収納する容器収納室とを備えた現像処理装置において、
前記容器を載置するトレーと、
前記容器を前記容器収納室に収納する収納位置と、前記容器の一部又は全部を外部に露呈する引き出し位置との間で前記トレーをスライド自在に支持するスライド機構と、を備えたことを特徴とする現像処理装置。
【請求項２】
前記トレーの引き出し操作に連動して車輪を出して前記トレーの引き出し方向の下流側を下方から支持するとともに、前記トレーを収納位置に向けて移動する操作に連動して前記車輪を格納する車輪出入機構を備えたことを特徴とする請求項１記載の現像処理装置。
【請求項３】
前記容器から前記現像処理液槽に前記処理液を補充するための伸縮又は弾性自在な配管の先端部を保持する配管保持部材と、前記トレーの引き出し方向の下流側に向けて突出しているレバーと、前記レバーの操作に連動して前記配管保持部を移動して前記前記先端部を容器の開口部に着脱させる移動機構とを有する配管着脱機構を、前記トレーに設けたことを特徴とする請求項１又は２記載の現像処理装置。
【発明の詳細な説明】
【技術分野】
【０００１】
本発明は、写真感光材料を現像液、定着液あるいは水洗水等が貯留された処理液槽へ浸漬して液体処理する現像処理装置に関し、更に詳しくは、現像処理用の液体を回収又は補充するための容器を備えた現像処理装置に関する。
【背景技術】
【０００２】
ＩＴ社会の情報資産であるデジタルデータは、蓄積されるデジタルデータ量が加速度的に増加している。しかし、デジタルデータは、記憶装置の破損や故障、ウィルスなどによる消滅など、予期せぬ被害の危険にさらされており、情報資産をいかに安全に長期間保存していくかが、大きな課題となっている。そこで、こうしたリスクを完全にシャットアウトし、重要なデータの長期・安全保存を可能にするために、マイクロフイルム・レコーディング・システムが知られている。
【０００３】
マイクロフイルム・レコーディング・システムは、マイクロフイルムに原稿を撮影又は記録する原稿記録装置、露光済みのマイクロフイルムを現像する現像処理装置、マイクロフイルムから情報をすばやく検索・出力するリーダープリンターなどで構成されている。
【０００４】
前述した現像処理装置は、帯状の写真感光材料を自動的に現像する装置であり、現像槽、漂白定着槽、水洗槽、及び乾燥部をそれぞれ備えている。各槽には、処理液が入っており、使用量又は経時劣化に応じて新たな処理液を補充する必要がある。各補充用の処理液は、個別の容器又はボトル（以下、「タンク」と称する）に入っている。各タンクは供給用管によって各槽との間で各々接続されており、各槽の処理液は処理液が一定量以下になると、ポンプによりタンクから自動的に吸引されて補充されるようになっている。
【０００５】
また、各槽からオーバーフローした使用後の廃液を回収する必要がある。そこで、各タンクと各槽とを供給用管とは別の回収用管で接続している。また、各タンクは、内部が仕切り部材により二槽に仕切られている。一方の槽は補充用処理液を入れる槽であり、また、他方の槽には回収用管を通って各槽からオーバーフローした使用後の廃液が回収される（特許文献１）。補充用処理液が無くなると、タンクを交換する必要がある。
【特許文献１】特開平１−１６７８４１号公報
【発明の開示】
【発明が解決しようとする課題】
【０００６】
特許文献１に記載の銀塩写真式カラー複写機には、図１に示されているように、補充用処理液を入れたボトルが内部に収納されている。ボトルを交換する時には、側面カバーを外して奥からボトルを取り出す必要がある。これは、オペレータが装置の奥に手を入れてボトルを手前に取り出す作業になり、ボトルが重いので辛い取り出し作業になる。新液ボトルを入れ替える場合にも、重いボトルを装置の奥まで運び入れるので、交換には二重の辛い作業が伴っていた。
【０００７】
本発明では、容器の交換作業を簡便に行えるように工夫した現像処理装置を提供することを目的とする。
【課題を解決するための手段】
【０００８】
本発明では、容器を載置するトレーをスライド機構でスライド自在に設けている。これによれば、トレーを収納位置から引き出し位置に引き出すことで、容器の一部又は全部が露呈されるので、容器の交換作業が簡便に行える。
【０００９】
スライド機構としては、レールとそのレールをスライド自在に支持する支持部材とを有するボールスライド機構など、周知の機構を用いることができる。また、写真フイルムの現像には、複数の処理液が必要である。このため、補充液を入れた容器も複数必要になる。トレーとしては、複数の容器を載置する構成にしてもよい。
【００１０】
ところで、容器は、回収される廃液が入っているためが重い。スライド機構は、トレーを引き出したときにその引き出し方向の上流側を支持する片持ち支持の構造になっている。このため、引き出したときにトレーが前のめりに傾いてしまい、床との間に手を挟んだり、タンクがずり落ちたりするおそれがあった。
【００１１】
そこで、トレーの引き出し操作に連動して車輪を出してトレーの引き出し方向の下流側を下方から支持するとともに、トレーを収納位置に向けて移動する操作に連動して車輪を格納する車輪出入機構を備えるのが望ましい。車輪出入機構の車輪としては、１個に限らず、複数の車輪を出入りさせる構成にしても良い。１個の場合は、トレーの幅方向の略中央に、また複数の場合にはトレーの引き出し方向に直交する幅方向に所定ピッチで並べて設けるのがよい。
【００１２】
スライド機構としては、ボールスライド機構など周知の機構を用いることができる。このスライド機構は、トレーを片持ちで支持する。このため、トレーを引き出したときに、容器の重さでトレーがお辞儀する。このとき、車輪を出してトレーのお辞儀を防止する。この車輪出入機構は、トレーのスライド操作に応答して車輪が出入りする構成になっていれば、周知のあらゆる機構を用いることができる。
【００１３】
また、容器と現像処理液槽とは配管により接続されている。特許文献１に記載の装置では、配管の先端をネジ式キャップに保持させておき、キャップを取り外し方向に回してボトルの開口部からキャップを外すことで、配管が開口部から取り外される。また、新たなボトルをセットした後にキャップを取り付け方向に回してキャップを開口部に取り付けることで配管の先端部をボトルの内部に挿入することができる。しかし、この配管取り付け作業は、キャップを回転させる作業が伴うため、簡便には行えない。
【００１４】
そこで、トレーに配管着脱機構を設け、レバーの操作に連動して配管を容器の開口部に着脱させるように構成するのが好適である。配管は伸縮又は弾性自在にしておけば、トレーを引き出しても配管の先端部が容器と一緒に移動してくるので問題はない。レバーは、トレーの引き出し方向に向けて突出しておけば、トレーを引き出したときに操作し易い。
【００１５】
なお、補充用配管に加えて、現像処理液槽で廃棄になる処理液を容器に回収する回収用配管も配管保持部材に取り付けてもよい。
【発明の効果】
【００１６】
本発明の現像処理装置では、トレーをスライド自在に支持するスライド機構を設けたから、容器の交換作業が簡便になる。また、トレーの引き出し操作に連動して車輪を出して接地する発明では、引き出し時にトレーが重さでお辞儀するような不都合を確実に防止することができる。さらに、配管着脱機構を備えた発明では、トレーを引き出したときに配管の着脱が簡単に行える。
【発明を実施するための最良の形態】
【００１７】
本発明の現像処理装置１０は、図１に示すように、撮影済みのマイクロフイルムを自動的に現像する装置であり、供給室１１、巻き取り室１２、現像処理液槽１３、乾燥部１４、タンク収納室１５とで構成されている。現像処理液槽１３は、現像槽１６、漂白定着槽１７、第１水洗槽１８、及び、第２水洗槽１９とで構成されている。
【００１８】
供給室１１には、撮影済みのマイクロフイルム２０を巻回した供給リール２１がセットされる。巻き取り室１２には巻き取りリール２２がセットされており、巻き取りリール２２には現像済みのマイクロフイルム２３が巻き取られる。供給室１１及び巻き取り室１２とは、通常は暗室にされており、扉を開けることで外部からリールを交換することができる。
【００１９】
マイクロフイルム２０は、引き出し手段により供給リール２１から下方に向けて帯状に引き出されて、搬送手段により水平方向に配列した現像槽１６、漂白定着槽１７、第１水洗槽１８、及び、第２水洗槽１９に順に導かれる。第２水洗槽１９を通過したマイクロフイルム２３は、搬送手段により上方に向けて搬送されて乾燥部１４に導かれる。そして乾燥部１４から排出されるマイクロフイルム２３は、搬送手段により水平方向に搬送されて巻き取り室１２に導かれ、巻き取り手段により巻き取りリール２２に巻き取られる。
【００２０】
現像槽１６には現像処理液２５が、漂白定着槽１７には漂白定着液２６が、第１水洗槽１８には第１水洗処理液２７が、及び、第２水洗槽１９には第２水洗処理液２８が予め溜められている。
【００２１】
タンク収納室１５は、現像処理液槽１３の下部に配されている。このタンク収納室１５には、第１〜第４タンク３０〜３３が個別に収容されている。各タンク３０〜３３は、補充用処理液を入れておく補充用処理液収納槽３４〜３７と、廃液を回収する回収用廃液収納槽３８〜４１とに仕切り部材により二層に分かれている。
【００２２】
第１タンク３０の開口部４２の内部には、供給用配管４３と回収用配管４４とを個別に接続するための供給用接続口、及び回収用接続口が設けられている。供給用接続口には、供給用配管４３が着脱自在に接続される。供給用配管４３を供給用接続口に接続することで、現像槽１６と第１タンク３０の補充用処理液収納槽３４とが接続される。また、回収用接続口には、回収用配管４４が着脱自在に接続される。回収用配管４４を回収用接続口に接続すると、現像槽１６と第１タンク３０の回収用廃液収納槽３８とが接続される。
【００２３】
なお、他のタンク３１〜３３も第１タンク３０と同じ構成となっており、タンク内部の２つの槽３５〜３７、３９〜４１とそのタンク３１〜３３に対応する処理液槽１６〜１９との間が２本の管４５〜５０で接続されている。また、各タンク３０〜３３の開口部４２の外周にはネジが形成されており、開口部４２はタンク３０〜３３が現像処理装置１０にセットされるまではキャップにより密封されている。
【００２４】
供給用配管４３，４５，４７，４９には、ポンプ５２〜５５が設けられている。ポンプ５２〜５５は、各処理液槽１６〜１９の処理液が一定量以下になったことを、各処理液槽１６〜１９に設けたセンサで検知することに応答して作動して、タンク３０〜３３の補充用処理液を各処理液槽１６〜１９に補充する。また、回収用配管４４、４６，４８，５０には、電磁弁５６〜６０が設けられている。電磁弁５６〜６０は、電気信号に応答して弁を開閉するものであり、通常は閉じ位置になっており、廃液が一定量以上になったことを各処理液槽１６〜１９に設けたセンサで検知することに応答して弁を一定時間だけ開き位置に移動して廃液をタンク３０〜３３に回収する。
【００２５】
タンク収納室１５には、トレー６２がスライド自在に設けられている。このトレー６２には、各タンク３０〜３３を奥当てで位置決めする位置決め手段が設けられており、位置決め手段により各４タンク３０〜３３が整列して載置されている。装置１０の前面下部には、図２に示すように、観音開き式の一対の扉６３，６４が設けられている。一対の扉６３，６４を開けると、図３に示すように、開口部６５の奥に、タンク収納室１５が露呈される。トレー６２は、タンク収納室１５に対して、例えばボールスライドなどの直進スライド機構により、引き出し位置と収納位置との間でスライド自在に取り付けられている。引き出し位置は、各タンク３０〜３３の全部又は一部を外部に露呈される位置であり、また、収納位置は、各タンク３０〜３３をタンク収納室１５に収納する位置である。直進スライド機構は、レールと、そのレールをスライド自在に支持する支持部材とで構成されている。レールはトレーの両側面にそれぞれ固定されている。支持部材は、タンク収納室１５の両側面に取り付けられている。
【００２６】
トレー６２には、開口側に取手６６が設けられており、引き出し又は収納するときにその取手６６を持って操作する。トレー６２の下部には、車輪出入機構６７が設けられている。車輪出入機構６７は、トレー６２のスライドに連動して車輪６８を出入りさせる。これにより、トレー６２は、引き出し位置のときに、車輪６８が出て接地するため、トレー６２の先端が重さでお辞儀しなくなる。
【００２７】
トレー６２の上部には、タンク３０〜３３ごとに配管着脱機構６９が設けられている。配管着脱機構６９は、回収用及び供給用配管４３〜５０を各タンク３０〜３３の開口部４２に同時に着脱する機構であり、配管保持部材、レバー７０、及び、移動機構とから構成されている。配管保持部材は、回収用及び供給用配管４３〜５０の先端部の対を各々保持する。配管４３〜５０は、トレー６２の引き出しに追従するように、伸縮又は弾性自在になっている。レバー７０は、トレー６２の引き出し方向の下流側に向けて突出している。移動機構は、レバー７０の操作に連動して配管保持部を開口部４２の真上で昇降させて回収用及び供給用配管４３〜５０の先端部をタンク３０〜３３の開口部４２に着脱させる。
【００２８】
操作は、レバー７０を引き上げることで、回収用及び供給用配管４３〜５０の先端部を各タンク３０〜３３の開口部４２に対して同時に着脱することができる。そして、新たなタンク３０〜３３をセットした後に、レバー７０を引き下ろすことで、回収用及び供給用配管４３〜５０の先端部を各タンク３０〜３３の開口部４２に同時に接続することができる。
【００２９】
車輪出入機構６７は、トレー６２が引き出し位置のときに車輪６８をトレー６２の下部の格納位置から支持位置に突出し、また、トレー６２を収納位置に向けて押し込む操作に連動して車輪６８を格納位置に格納する機構であり、トレー６２の幅方向（スライド方向に直交する方向）の略中央に取り付けられている。
【００３０】
車輪出入機構６７は、図４に示すように、トレー６２、車輪６８、取手支持板７１、ベース部材７２、主脚部材７３、一対のストラットアーム７４，７５、固定ピン７６、ロックピン７７、ロック解除部材７８、及び、付勢部材７９とで構成されている。
【００３１】
トレー６２は、図５にも示すように、タンク３０〜３３を受ける受け板８０と、受け板８０の周りを下方に向けて折り曲げた折り曲げ片８１，８２とで構成されており、折り曲げ片８１，８２で囲まれた受け板８０の下部のスペースが車輪出入機構６７を格納するスペースになっている。
【００３２】
ベース部材７２は、スライド方向に長い断面コ字状の形状になっており、開放側を下に向けた姿勢で背面が受け板８０の裏面に固定されている。このベース部材７２には、詳しくは図６に示すように、断面コ字状のうちの対向する両壁のうちの引き出し方向の上流側に固定ピン７６の両端が固定され、また、下流側にはロックピン７７が挿入される可動穴８３が形成されている。
【００３３】
主脚部材７３は、スライド方向に長くかつ開放側を上に向けた姿勢の断面コ字状の形状となっており、ベース部材７２のうちの前記対向する両壁の間に配される。この主脚部材７３は、引き出し方向の下流側に車輪６８の軸６８ａが挿入される軸受け穴８４が形成され、また、上流側には前記固定ピン７６が挿入される軸受け穴８５がそれぞれ形成されており、固定ピン７６を中心として回転して車輪６８を支持位置と格納位置との間で出入りさせる。
【００３４】
主脚部材７３は、トレー６２を収納位置に向けて押し込む時に、タンク収納室１５の下部に当接して格納位置に引き込まれる。これは、主脚部材７３のうちの断面コ字状の背壁である当接部８６が、タンク収納室１５の下部に設けた引き込み壁８７に当接することで、行える。
【００３５】
一対のストラットアーム７４，７５は、主脚部材７３のうちの対向する壁の両外側にそれぞれ配されており、一端に車輪６８の軸６８ａが挿入される軸受け穴８８が、また、他端にはロックピン７７が挿通される軸受け穴８９がそれぞれ設けられており、車輪６８の軸６８ａを中心としてロックピン７７が可動穴８３を移動する範囲内でスイングする。
【００３６】
可動穴８３は、短辺を上に向けた姿勢のＬ字状をしており、短辺側になるロック穴９０と、長辺側になる逃がし穴９１とから構成される。ロック穴９０は、ロックピン７７が入り込むことで、車輪６８の軸６８ａを中心とするストラットアーム７４，７５のスイングを阻止して、主脚部材７３を支持位置にロックする。逃がし穴９１は、格納位置のときにストラットアーム７４，７５の他端をロックピン７７とともに逃がすため長穴であり、ロックピン７７が入り込むことで、主脚部材７３の格納位置に向けた回転を許容する。付勢部材７９は、ロックピン７７の両端にそれぞれ一対設けられている、例えば引張りバネであり、ロックピン７７がロック穴９０に入り込む方向に向けて付勢している。
【００３７】
取手６６は、取手支持板７１に固定されている。取手支持板７１は、スライド方向に長い板状になっており、前記受け板８０の上で、前記スライド方向に沿ったロック許容位置とロック解除位置との間で移動自在に取り付けられている。この移動は、受け板８０に設けた長穴９３と、取手支持板７１の底に設けたガイドピン９４との係合により行われる。この取手支持板７１は、トレー６２の幅方向の略中央に取り付けられている。
【００３８】
取手支持板７１の下には、ロック解除部材７８が突出して設けられている。ロック解除部材７８は、突出方向の先端が受け板８０に設けた開口９５、及び、ベース部材７２の切り欠き９６を通ってロックピン７７がロック穴９０に入り込む移動路に臨んでいる。前記開口９５は、取手支持板７１の移動量に応じた長さで形成されている。ロック解除部材７８の先端は、引き出し方向の上流側が斜面９７になっている。この斜面９７は、取手６６を持ってトレー６２を収納位置に向けて押し込む方向に取手支持板７１を移動させたときに、ロックピン７７をロック穴９０から逃がし穴９１に向けて押し込む向きの傾斜になっている。
【００３９】
現像処理液のタンク３０〜３３を交換するときには、一対の扉６３，６４を開けてタンク収納室１５を露呈する。タンク収納室１５を露呈すると、４個のタンク３０〜３３が幅方向に並んでトレー６２の上に載置されている。それらタンク３０〜３３の列の略中央に、取手６６が前方に向けて突出している。その取手６６を掴んで前方に向けて引くことで、トレー６２が収納位置から引き出し位置に向けて引き出される。
【００４０】
トレー６２が収納位置のときには、図５に示すように、ガイドピン９４が長穴９３の奥に当接したロック解除位置に位置している。また、車輪６８は、タンク収納室１５の底面９８に乗って、格納位置に保持されている。このときロックピン７７が逃がし穴９１に入り込んでいるため、主脚部材７３の回転が許容されている。
【００４１】
取手６６を手前に引くと、図７に示すように、ガイドピン９４が長穴９３の手前に当接したロック許容位置に移動する。そのまま取手６６を引く操作を継続することで、トレー６２が徐々に引き出されてくる。トレー６２が引き出されてくると、車輪６８が底面９８から脱落して車輪６８が自重により下方に向けて出ようとするため主脚部材７３が固定ピン７６を中心に半時計方向に回転し、この主脚部材７３の回転により、ストラットアーム７４，７５がスイングして他端に取り付けられているロックピン７７が付勢部材７９の付勢によりロック穴９０に向けて誘導される。そして、そのままロック穴９０に入り込んだときに、ストラットアーム７４，７５のスイングとともに主脚部材７３の回転が阻止されて、図６に示すように車輪６８が支持位置に移動した状態になる。この状態になった後にトレー６２が引き出されて引き出し位置に移動される。このとき、車輪６８が接地されているので、引き出し位置に引き出されたトレー６２が重さによりお辞儀することがない。
【００４２】
トレー６２を引き出し位置に移動すると、タンク収納室１５から各タンク３０〜３３の全部又は一部が外部に露呈されているので、配管４３〜５０の取り外し作業が簡便に行える。この作業は、タンク３０〜３３ごとに設けられた配管着脱機構６９の各レバー７０を引き上げる。これにより、回収用及び供給用配管４３〜５０を各タンク３０〜３３の開口部４２から容易に外せる。その後に、使用済みの各タンク３０〜３３を取り出して新たなタンク３０〜３３をトレー６２の上にセットして、再び各レバー７０を引き下げることで回収用及び供給用配管４３〜５０が各タンク３０〜３３の開口部４２に接続される。
【００４３】
その後、取手６６を持って押し込む操作を行う。この初期の押し込み操作で、ガイドピン９４が長穴９３の手間から奥に向かって移動することで取手支持板７１がロック許容位置からロック解除位置に移動する。この僅かな移動により、ロック解除部材７８の斜面９７がロックピン７７をロック穴９０から逃がし穴９１に向けて押し出す。これにより、ストラットアーム７４，７５の固定が解除されるとともに、主脚部材７３の回転が許容されて、図８に示す状態になる。
【００４４】
その後は、取手６６を押し込むことで取手支持板７１とともにトレー６２が収納位置に向けて移動する。このトレー６２が収納位置に向けて移動する途中で、主脚部材７３の当接部８６が引き込み壁８７に当接して、引き込み壁８７が主脚部材７３を格納位置に向けて回転させる。引き続きトレー６２を押し込むことで、車輪６８が引き込み壁８７から底面９８に乗り上げて格納位置に格納され、その後にトレー６２が収納位置に移動される。これにより、図５に示すように、タンク３０〜３３の全てをタンク収納室１５に収納した状態になる。最後に一対の扉６３，６４を閉めることで、交換作業が終了する。
【００４５】
上記実施形態では、タンク３０〜３３や現像処理液槽の数を４個にしているが、本ン発明ではこれに限ることはない。また、スライド機構や車輪出入り機構としては、上記で説明した機構に限ることはなく、周知の機構を用いても良い。
【図面の簡単な説明】
【００４６】
【図１】現像処理装置の概略を示す説明図である。
【図２】現像処理装置の外観を示す斜視図である。
【図３】タンク収納室からトレーを引き出した状態を示す要部斜視図である。
【図４】車輪出入機構の概略を示す分解斜視図である。
【図５】トレーを収納位置に移動した状態を示す断面図である。
【図６】トレーを引き出し位置に移動した状態を示す断面図である。
【図７】トレーの収納位置の状態から取手支持板をロック許容位置に移動した状態を示す断面図である。
【図８】トレーを引き出し位置から収納位置に向けて移動している途中の状態を示す断面図である。
【符号の説明】
【００４７】
１０  自動現像措置
３０〜３３  タンク
６２  トレー
６６  取手
６７  車輪出入機構
６８  車輪
７３  主脚部材
７４，７５  ストラットアーム
７６  固定ピン
７７  ロックピン
【図１】
2007133029.tif 000003
【図２】
2007133029.tif 000004
【図３】
2007133029.tif 000005
【図４】
2007133029.tif 000006
【図５】
2007133029.tif 000007
【図６】
2007133029.tif 000008
【図７】
2007133029.tif 000009
【図８】
2007133029.tif 000010